(57)【要約】【課題】  透過原稿に存在する欠陥に対応する部分の画像を補正する欠陥補正処理を行う画像読取装置と、画像読取装置の制御をコンピュータで実行させるためのプログラムとに関し、欠陥補正処理の実行の有無の判断を操作者が的確に行えることや、欠陥補正処理に要する時間を最小限に抑えることを目的とする。【解決手段】  透過原稿の画像を読み取る画像読取手段と、欠陥位置画像を生成する欠陥位置画像生成手段と、画像読取手段で読み取られた画像の欠陥補正処理を操作者からの要求に応じて実行する欠陥補正処理手段とを備えた画像読取装置において、画像読取手段による透過原稿の予備的な読み取りにより得られる予備画像と予備的な読み取りに際して欠陥位置画像生成手段で生成される欠陥位置とを取得し、欠陥位置画像に加工処理を行って予備画像と合成する画像合成手段と、画像合成手段による合成で得られる画像を表示する表示手段とを備えている。【選択図】      図２
2005323002.tif 000002
【特許請求の範囲】
【請求項１】
透過原稿の画像を読み取る画像読取手段と、
透過原稿に存在する欠陥の位置を示す欠陥位置画像を生成する欠陥位置画像生成手段と、
前記欠陥位置画像に基づき、透過原稿の画像から欠陥に対応する部分を検出して、該部分の画像を補正する欠陥補正処理を、操作者からの要求に応じて実行する欠陥補正処理手段と
を備えた画像読取装置において、
前記画像読取手段による透過原稿の予備的な読み取りにより得られる予備画像と、該予備的な読み取りに際して前記欠陥位置画像生成手段によって生成される欠陥位置画像とを取得し、該欠陥位置画像に加工処理を行って前記予備画像と合成する画像合成手段と、
前記画像合成手段による合成によって得られる画像を表示する表示手段と
を備えたことを特徴とする画像読取装置。
【請求項２】
請求項１に記載の画像読取装置において、
前記画像合成手段は、前記加工処理として、前記欠陥位置画像から所定の周期で配置されているデータを抽出することによって間引き処理を行うとともに、前記予備画像と合成可能に縮小処理を行う
ことを特徴とする画像読取装置。
【請求項３】
請求項１に記載の画像読取装置において、
前記画像合成手段は、前記加工処理として、エッジ強調処理を行う
ことを特徴とする画像読取装置。
【請求項４】
請求項１に記載の画像読取装置において、
前記画像合成手段は、前記加工処理として、前記欠陥位置画像を欠陥の有無を示す２値画像に変換する２値化処理を行う
ことを特徴とする画像読取装置。
【請求項５】
請求項１に記載の画像読取装置において、
前記画像合成手段は、前記予備画像を、該画像の補色系の色かつ高彩度の色に変換する
ことを特徴とする画像読取装置。
【請求項６】
透過原稿の画像を読み取る画像読取手段と、
透過原稿に存在する欠陥の位置を示す欠陥位置画像を生成する欠陥位置画像生成手段と、
前記欠陥位置画像に基づき、透過原稿の画像の欠陥を補正する欠陥補正処理を、操作者からの要求に応じて実行する欠陥補正処理手段と
を備えた画像読取装置において、
前記欠陥補正処理を適用すべき補正適用領域の選択に係わる外部操作を受け付ける操作受付手段を備え、
前記欠陥補正処理手段は、前記画像読取手段によって読み取られた画像のうち、前記操作受付手段を介して操作者により選択された補正適用領域に対し、前記欠陥補正処理を行う
ことを特徴とする画像読取装置。
【請求項７】
請求項６に記載の画像読取装置において、
前記操作受付手段は、前記画像読取手段による透過原稿の予備的な読み取りにより得られる画像を表示し、該画像上の任意の領域を選択する外部操作を受け付け、該外部操作により選択された領域を前記補正適用領域とする
ことを特徴とする画像読取装置。
【請求項８】
請求項６に記載の画像読取装置において、
前記操作受付手段は、前記画像読取手段による透過原稿の予備的な読み取りにより得られる画像を表示し、該画像上の任意の位置を指定する外部操作を受け付け、該外部装置により指定された位置の色と同色とみなせる領域を前記補正適用領域とする
ことを特徴とする画像読取装置。
【請求項９】
請求項６に記載の画像読取装置において、
前記操作受付手段は、前記画像読取手段による透過原稿の予備的な読み取りにより得られる画像を明るさに応じて複数の領域に分割し、該複数の領域のうち、１つ以上の領域を選択する外部操作を受け付け、該外部操作により選択された領域を前記補正適用領域とする
ことを特徴とする画像読取装置。
【請求項１０】
透過原稿の画像を読み取る画像読取手段と、透過原稿に存在する欠陥の位置を示す欠陥位置画像を生成する欠陥位置画像生成手段とを備えた画像読取装置から透過原稿の画像と欠陥位置画像とを取得し、欠陥位置画像に基づき、透過原稿の画像の欠陥を補正する欠陥補正処理を、操作者からの要求に応じて実行する欠陥補正処理手順をコンピュータで実現するためのプログラムにおいて、
前記画像読取手段による透過原稿の予備的な読み取りにより得られる予備画像と、該予備的な読み取りに際して前記欠陥位置画像生成手段によって生成される欠陥位置とを取得し、該欠陥位置画像に加工処理を行って前記予備画像と合成する画像合成手順と、
前記画像合成手順による合成によって得られる画像を表示する表示手順と
を備えたことを特徴とするプログラム。
【請求項１１】
透過原稿の画像を読み取る画像読取手段と、透過原稿に存在する欠陥の位置を示す欠陥位置画像を生成する欠陥位置画像生成手段とを備えた画像読取装置から透過原稿の画像と欠陥位置画像とを取得し、欠陥位置画像に基づき、透過原稿の画像の欠陥を補正する欠陥補正処理を行う陥補正処理手順をコンピュータで実現するためのプログラムにおいて、
前記欠陥補正処理を適用すべき補正適用領域の選択に係わる外部操作を受け付ける操作受付手順
を備え、
前記欠陥補正処理手順は、前記画像読取手段によって読み取られた画像のうち、前記操作受付手順を介して操作者により選択された補正適用領域に対し、前記欠陥補正処理を行う
ことを特徴とするプログラム。
【発明の詳細な説明】
【技術分野】
【０００１】
本発明は、透過原稿の画像を読み取って、透過原稿に存在する欠陥に対応する部分の画像を補正する欠陥補正処理を行う画像読取装置と、欠陥補正処理をコンピュータで実行させるためのプログラムとに関する。
【背景技術】
【０００２】
透過原稿の画像を読み取る画像読取装置には、透過原稿に存在するゴミや傷や指紋等の欠陥の位置を赤外光により検出し、欠陥が検出された位置に対応する画像を補正する欠陥補正処理を行うものがある（例えば、特許文献１参照）。
このような画像読取装置では、通常、欠陥補正処理を実行するか否かは、操作者の設定によって決定されている。
【０００３】
すなわち、操作者は、画質を優先させる場合には欠陥補正処理を実行する設定を行い、読取時間を優先させる場合には欠陥補正処理を実行しない設定を行う。
【特許文献１】特開平１１−９８３７０号公報
【発明の開示】
【発明が解決しようとする課題】
【０００４】
ところで、透過原稿には必ず小さなゴミが付着しているが、このような小さなゴミは、拡散照明による読み取りや、低解像度での読み取りでは、画像に全く影響を与えないことが知られている。すなわち、このような読み取りの際には、欠陥補正処理は不要である。しかし、操作者は、画質を優先させるあまり、このような読み取りに際しても、欠陥補正処理を実行する設定を行ってしまうことがあり、無用に読取時間を長引かせてしまうことがある。
【０００５】
また、操作者は、読取時間を優先させるあまり、多少の欠陥を承知で欠陥補正処理を実行しない設定を行うことがある。しかし、読み取られた画像に対する欠陥の影響が想像以上に大きく画質が著しく悪い場合、操作者は、欠陥補正処理を実行する設定をし直し、再び、画像の読み取りの完了を待たなければならず、結果として、１回目の読み取りに要した時間を無駄にしてしまうことがある。
【０００６】
なお、画像読取装置には、本スキャンに先立ち、プレビュー画像を表示するものがあり、操作者は、このようなプレビュー画像によって欠陥補正処理を実行するか否かを決定することがある。しかし、プレビュー画像は、画面が小さく、その上、ＬＰＦ（Low Pass Filter：ローパスフィルタ）がかけられている場合、ゴミや傷や指紋等がぼかされて表示されることになる。そのため、このようなプレビュー画像からは、透過原稿の欠陥の状態を正確に判断することは困難である。
【０００７】
また、従来の画像読取装置では、画像全体に対して欠陥補正処理が適用されていたので、操作者が欠陥補正処理を不要と考える領域に対しても欠陥補正処理が行われていた。そのため、このような領域に対する処理によって、欠陥補正処理に要する時間が無用に長引かされることがあった。
そこで、本発明は、欠陥補正処理の設定に係わる操作性を向上させることを目的とする。特に、請求項１ないし請求項５および請求項１０に記載の発明は、欠陥補正処理の実行の有無の判断を操作者が的確に行えることを目的とする。また、請求項６ないし請求項９および請求項１１に記載の発明は、欠陥補正処理を適用する領域を操作者が選択できることを目的とする。
【課題を解決するための手段】
【０００８】
請求項１に記載の画像読取装置は、透過原稿の画像を読み取る画像読取手段と、透過原稿に存在する欠陥の位置を示す欠陥位置画像を生成する欠陥位置画像生成手段と、前記欠陥位置画像に基づき、透過原稿の画像から欠陥に対応する部分を検出して、該部分の画像を補正する欠陥補正処理を、操作者からの要求に応じて実行する欠陥補正処理手段とを備えた画像読取装置において、前記画像読取手段による透過原稿の予備的な読み取りにより得られる予備画像と、該予備的な読み取りに際して前記欠陥位置画像生成手段によって生成される欠陥位置画像とを取得し、該欠陥位置画像に加工処理を行って前記予備画像と合成する画像合成手段と、前記画像合成手段による合成によって得られる画像を表示する表示手段とを備えたことを特徴とする。
【０００９】
請求項２に記載の画像読取装置は、請求項１に記載の画像読取装置において、前記画像合成手段は、前記加工処理として、前記欠陥位置画像から所定の周期で配置されているデータを抽出することによって間引き処理を行うとともに、前記予備画像と合成可能に縮小処理を行うことを特徴とする。
請求項３に記載の画像読取装置は、請求項１に記載の画像読取装置において、前記画像合成手段は、前記加工処理として、エッジ強調処理を行うことを特徴とする。
【００１０】
請求項４に記載の画像読取装置は、請求項１に記載の画像読取装置において、前記画像合成手段は、前記加工処理として、前記欠陥位置画像を欠陥の有無を示す２値画像に変換する２値化処理を行うことを特徴とする。
請求項５に記載の画像読取装置は、請求項１に記載の画像読取装置において、前記画像合成手段は、前記予備画像を、該画像の補色系の色かつ高彩度の色に変換することを特徴とする。
【００１１】
請求項６に記載の画像読取装置は、透過原稿の画像を読み取る画像読取手段と、透過原稿に存在する欠陥の位置を示す欠陥位置画像を生成する欠陥位置画像生成手段と、前記欠陥位置画像に基づき、透過原稿の画像の欠陥を補正する欠陥補正処理を、操作者からの要求に応じて実行する欠陥補正処理手段とを備えた画像読取装置において、前記欠陥補正処理を適用すべき補正適用領域の選択に係わる外部操作を受け付ける操作受付手段を備え、前記欠陥補正処理手段は、前記画像読取手段によって読み取られた画像のうち、前記操作受付手段を介して操作者により選択された補正適用領域に対し、前記欠陥補正処理を行うことを特徴とする。
【００１２】
請求項７に記載の画像読取装置は、請求項６に記載の画像読取装置において、前記操作受付手段は、前記画像読取手段による透過原稿の予備的な読み取りにより得られる画像を表示し、該画像上の任意の領域を選択する外部操作を受け付け、該外部操作により選択された領域を前記補正適用領域とすることを特徴とする。
請求項８に記載の画像読取装置は、請求項６に記載の画像読取装置において、前記操作受付手段は、前記画像読取手段による透過原稿の予備的な読み取りにより得られる画像を表示し、該画像上の任意の位置を指定する外部操作を受け付け、該外部装置により指定された位置の色と同色とみなせる領域を前記補正適用領域とすることを特徴とする。
【００１３】
請求項９に記載の画像読取装置は、請求項６に記載の画像読取装置において、前記操作受付手段は、前記画像読取手段による透過原稿の予備的な読み取りにより得られる画像を明るさに応じて複数の領域に分割し、該複数の領域のうち、１つ以上の領域を選択する外部操作を受け付け、該外部操作により選択された領域を前記補正適用領域とすることを特徴とする。
【００１４】
請求項１０に記載のプログラムは、透過原稿の画像を読み取る画像読取手段と、透過原稿に存在する欠陥の位置を示す欠陥位置画像を生成する欠陥位置画像生成手段とを備えた画像読取装置から透過原稿の画像と欠陥位置画像とを取得し、欠陥位置画像に基づき、透過原稿の画像の欠陥を補正する欠陥補正処理を、操作者からの要求に応じて実行する欠陥補正処理手順をコンピュータで実現するためのプログラムにおいて、前記画像読取手段による透過原稿の予備的な読み取りにより得られる予備画像と、該予備的な読み取りに際して前記欠陥位置画像生成手段によって生成される欠陥位置とを取得し、該欠陥位置画像に加工処理を行って前記予備画像と合成する画像合成手順と、前記画像合成手順による合成によって得られる画像を表示する表示手順とを備えたことを特徴とする。
【００１５】
請求項１１に記載のプログラムは、透過原稿の画像を読み取る画像読取手段と、透過原稿に存在する欠陥の位置を示す欠陥位置画像を生成する欠陥位置画像生成手段とを備えた画像読取装置から透過原稿の画像と欠陥位置画像とを取得し、欠陥位置画像に基づき、透過原稿の画像の欠陥を補正する欠陥補正処理を行う陥補正処理手順をコンピュータで実現するためのプログラムにおいて、前記欠陥補正処理を適用すべき補正適用領域の選択に係わる外部操作を受け付ける操作受付手順を備え、前記欠陥補正処理手順は、前記画像読取手段によって読み取られた画像のうち、前記操作受付手順を介して操作者により選択された補正適用領域に対し、前記欠陥補正処理を行うことを特徴とする。
【発明の効果】
【００１６】
本発明によれば、請求項１ないし請求項５および請求項１０に記載の発明では、透過原稿の欠陥の状態を操作者に理解させることができるため、欠陥補正処理の実行の有無の判断を操作者が的確に行えることができる。また、請求項６ないし請求項９および請求項１１に記載の発明では、欠陥補正処理を操作者により選択された補正適用領域に対して行うことができるため、欠陥補正処理に要する時間を最小限に抑えることができる。
【発明を実施するための最良の形態】
【００１７】
以下、図面に基づいて、本発明の実施形態について詳細を説明する。
ただし、以下では、本発明の画像読取装置の一例として、フィルム原稿の画像を読み取るフィルムスキャナとホストコンピュータとを有する画像読取装置を用いて説明を行う。また、ホストコンピュータには、本発明のプログラムが実行可能な状態に予め記録されているとする。
【００１８】
図１は、画像読取装置の構成図である。
図１において、画像読取装置１は、フィルムスキャナ１０、ホストコンピュータ３０、モニタ５０を備えている他、キーボードやマウスなどの操作部７０を備えており、モニタ５０と操作部７０とはホストコンピュータ３０に接続されている。
フィルムスキャナ１０は、ＣＰＵ１１、照明制御部１２、Ａ／Ｄ変換部１３、センサ制御部１４、光学ブロックモータ制御部１５、インタフェース部１６、画像処理部１７を備えており、これらは、バスを介して相互に接続されている。特に、インタフェース部１６は、ホストコンピュータ３０にも接続されている。
【００１９】
また、フィルムスキャナ１０は、光学ブロックモータ制御部１５からの制御信号が入力される光学ブロックモータ１８と、光学ブロックモータ１８に接続される光学ブロック１９と、フィルム原稿２０の搬送路（図示省略）等を備えている。
光学ブロック１８は、照明制御部１２からの制御信号が入力される照明装置２１、レンズ２２、センサ制御部１４からの制御信号が入力されるラインセンサ２３等を備えており、ラインセンサ２３の出力は、Ａ／Ｄ変換部１３に接続される。
【００２０】
このような構成の画像読取装置１において、ＣＰＵ１１は、ホストコンピュータ３０の指示を受けて、フィルムスキャナ１０内の各部を制御する。
照明装置２１は、ＣＰＵ１１の指示下で動作する照明制御部１２の制御を受け、照明光を点灯する。例えば、照明装置２１は、赤色光（Ｒ），緑色光（Ｇ），青色光（Ｂ）の３色の光と、赤外光（Ｉｒ）とを点灯することができ、ＲＧＢ画像の生成に際しては、３色の光を順次点灯し、Ｉｒ画像の生成に際しては、赤外光（Ｉｒ）を点灯する。なお、ラインセンサ２３にＲ,Ｇ,Ｂの３色のカラーフィルタが設けられている場合、照明装置２１は、白色光と赤外光（Ｉｒ）とを点灯することができれば良く、ＲＧＢ画像の生成に際しては白色光を点灯すれば良い。
【００２１】
照明装置２１からの照明光は、フィルム原稿２０の１ライン幅の領域に導かれ、レンズ２２は、フィルム原稿２０の透過光をラインセンサ２３に導いて結像させる。
光学ブロックモータ１８は、ＣＰＵ１１の指示下で動作する光学ブロックモータ制御部１５の制御を受けて、光学ブロック１９を所定のタイミングで副走査方向へ所定量移動させる。
【００２２】
ラインセンサ２３は、ＣＰＵ１１の指示下で動作するセンサ制御部１４の制御を受け、一列に配された複数の画素の受光部で光電変換を行って、レンズ２２によって導かれた透過光に応じた信号電荷を生成し、その信号電荷を走査して画像信号を生成する。
Ａ／Ｄ変換部１３は、ラインセンサ２３から出力される画像信号をＡ／Ｄ変換し、ＲＧＢ画像や赤外画像として、バスを介し画像処理部１７に供給する。
【００２３】
画像処理部１７は、このようにして供給される画像に対し、ＣＰＵ１１からの指示に応じて空間処理や解像変換処理等を施す。
インタフェース部１６は、画像処理部１７によって種々の処理が施された画像を、ＣＰＵ１１からの指示に応じてホストコンピュータ３０に供給する。
ホストコンピュータ３０は、インタフェース部１６を介して供給された画像をモニタ５０に表示したり、種々の操作画面をモニタ５０に表示する。また、ホストコンピュータ３０は、インタフェース部１６を介して、ＣＰＵ１１へ種々の指示を通知する。
【００２４】
図２および図３は、本実施形態における画像読取装置１の動作フローチャートである。
以下、図２および図３を参照して本実施形態の画像読取装置１の動作を説明する。
まず、操作者から操作部７０を介してプレビュー画像の表示が要求されると、ホストコンピュータ３０は、インタフェース部１６を介してＣＰＵ１１に対し、プリスキャン用のＲＧＢ画像とＩｒ画像との生成を指示する。
【００２５】
このような指示により、ＣＰＵ１１は、フィルムスキャナ１０内の各部を制御して、所定の解像度でＲＧＢ画像とＩｒ画像とを生成する（図２Ｓ１）。そして、画像処理部１７は、ＲＧＢ画像に対してプレビュー画像用の解像変換処理を施し、ローパスフィルタをかけてプレビュー画像を生成する（図２Ｓ２）。
このようにして生成されたプレビュー画像とＩｒ画像とは、インタフェース部１６を介してホストコンピュータ３０に供給される。
【００２６】
ホストコンピュータ３０は、プレビュー画像をモニタ５０に表示する（図２Ｓ３）。また、ホストコンピュータ３０は、Ｉｒ画像に間引き処理と強調処理とを施し、その結果得られた画像（フィルム原稿２０に存在するゴミや傷や指紋等の欠陥が強調された画像）と、プレビュー画像とを合成して欠陥合成画像を生成する（図２Ｓ４）。
例えば、プレビュー画像の解像度がフル解像画像の４分の１に変換されている場合、間引き処理は、連続する４画素のうち２画素のデータを抽出して平均化する処理や、連続する４画素のうち１画素のデータを抽出する処理を繰り返すことで実現できる。
【００２７】
このような間引き処理によれば、Ｉｒ画像をプレビュー画像と同じサイズに縮小することができるだけでなく、画像内の欠陥が存在する部分が目立ちやすくなる。
また、強調処理は、ラプラシアンフィルタ等によるエッジ強調処理や、欠陥が存在しない部分に相当するデータを１００とし、欠陥が存在している部分に相当するデータを０．１５程度とするような正規化や、欠陥が存在しない部分に相当するデータを１とし、欠陥が存在している部分に相当するデータを０とするような２値化によって実現することができる。
【００２８】
このような強調処理によれば、欠陥が存在する部分の画像を濃くすることができる。
さらに、このようにして間引き処理および強調処理が施されたデータと、プレビュー画像のデータとは、画素毎に演算することで合成される。そして、このような演算による合成によって得られるデータが欠陥合成画像となる。
図４は、欠陥合成画像が得られるまでの過程を示した図である。
【００２９】
ただし、図４では、説明を簡単にするため、ＲＧＢ画像のうち、Ｒ成分のみを示している。
図４によれば、（ａ）に示すような欠陥部分を含む画像が、ＬＰＦによって（ｂ）に示すように平坦化されてしまった場合であっても、（ｃ）に示すようなＩｒ画像を、間引き処理と強調処理とによって（ｄ）に示すような画像に変えることによって、（ｅ）に示すように欠陥部分が強調された欠陥合成画像が得られることが分かる。
【００３０】
そして、パーソナルコンピュータ３０は、操作者から操作部７０を介して欠陥合成画像の表示が要求されたか否かを判定し（図２Ｓ５）、欠陥合成画像の表示が要求されると、欠陥合成画像をモニタ５０に表示する（図２Ｓ６）。
その結果、モニタ５０には、図５（ａ）のように、欠陥が存在している部分がはっきりしないプレビュー画像に代えて、図５（ｂ）のように、欠陥が存在している部分が強調された欠陥合成画像が表示されることになる。このような欠陥合成画像の表示によって、操作者は、フィルム原稿２０の欠陥の状態を正確に判断することができる。
【００３１】
次に、ホストコンピュータ３０は、本スキャン用の設定画像をモニタ５０に表示する（図２Ｓ７）。
本スキャン用の設定画像を表示している状態において、ホストコンピュータ３０は、操作部７０を介して操作者によって設定される内容を監視し、欠陥補正処理を実行する設定が行われたか否かを判定する（図２Ｓ８）。
【００３２】
そして、欠陥補正処理を実行する設定が行われると、ホストコンピュータ３０は、欠陥補正処理用の設定画面を表示する（図２Ｓ９）。
欠陥補正処理用の設定画像を表示している状態において、ホストコンピュータ３０は、操作部７０を介して操作者によって設定される内容を監視し、欠陥補正処理を適用すべき領域（以下、単に「補正適用領域」と称する。）を指定する設定が行われたか否かを判定する（図３Ｓ１０）。
【００３３】
そして、補正適用領域を指定する設定が行われると、ホストコンピュータ３０は、操作者による補正適用領域の選択操作を受け付ける（図３Ｓ１１）。
本実施形態では、補正適用領域として、以下の１〜３のような領域を選択することができるとする。
１：クロップエリアのように、プレビュー画像または欠陥合成画像上において、操作者が任意に指定した領域。
【００３４】
２：プレビュー画像または欠陥合成画像上において、操作者が指定した位置の色と同色とみなせる領域。
３：プレビュー画像または欠陥合成画像上の明るさが異なるハイライト領域、中間調領域、シャドー領域のうち、操作者が選択した領域。
ここで、補正適用領域の選択の仕方について説明する。
【００３５】
例えば、ホストコンピュータ３０は、「クロップエリアによる選択」、「色による選択」、「明るさによる選択」の何れか１つが設定可能な設定画面を表示し、「クロップエリアによる選択」が設定された場合、プレビュー画像や欠陥合成画像上に補正適用領域を示す枠を表示する。そして、このような枠が操作者によって適宜変形されるまで待機し、変形後の枠内の領域を補正適用領域とする。
【００３６】
また、「色による選択」が設定された場合、ホストコンピュータ３０は、操作部７０を介して操作者によって指定された位置の画素（以下、「選択画素」と称する）と、その周辺の画素（以下、「周辺画素」と称する）とにおけるプレビュー画像のデータ（ＲＧＢ表色系）を、均等知覚色空間（Ｌａｂ表色系、Ｌｕｖ表色系等）のデータに変換する。そして、変換後のデータを用いて、選択画素と同じ色域を示す周辺画素を検索し、このような検索によって抽出された周辺画素と選択画素とからなる領域を、補正適用領域とする。
【００３７】
なお、選択画素と同じ色域を示す周辺画素の検索は、選択画素のＬａｂ値やＬｕｖ値との差が所定範囲に収まるような周辺画素を選択することによって実現できる。
さらに、「明るさによる選択」が設定された場合、ホストコンピュータ３０は、プレビュー画像のデータ（ＲＧＢ表色系）を、補色系であるＹＣｂＣｒ表色系のデータに変換し、Ｙ成分の値に応じて、プレビュー画像全体を、ハイライト領域、中間調領域、シャドー領域の３つの領域に分割する。例えば、図５（ａ）に示すように、雲、空、山が含まれる画像では、雲の部分がハイライト領域となり、空の部分が中間調領域となり、山の部分がシャドー領域となる。そして、これらの３つの領域のうち、操作者によって選択された領域を補正適用領域とする。
【００３８】
したがって、操作者は、欠陥が気になる部分を補正適用領域とすることができる。
例えば、図５（ａ）、（ｂ）に示すように、雲、空、山が含まれる画像において、雲の部分を補正適用領域としたい場合、操作者は、「クロップエリアによる選択」を設定して雲が含まれる部分を枠で囲むようにしたり、「色による選択」を設定して雲の位置を指定したり、「明るさによる選択」を設定してハイライト領域を選択したりすれば良い。
【００３９】
以上説明したようにして補正適用領域が選択されると、ホストコンピュータ３０は、インタフェース部１６を介してＣＰＵ１１に対し、本スキャン用のＲＧＢ画像とＩｒ画像との生成を指示する。
このような指示により、ＣＰＵ１１は、フィルムスキャナ１０内の各部を制御して、所定の解像度でＲＧＢ画像とＩｒ画像とを生成し（図３Ｓ１２）、生成したＲＧＢ画像とＩｒ画像とをインタフェース部１６を介してホストコンピュータ３０に供給する。
【００４０】
そして、ホストコンピュータ３０は、このようにして供給されたＲＧＢ画像のうち、補正適用領域に対してのみ、Ｉｒ画像による欠陥補正処理を施し（図３Ｓ１３）、欠陥補正処理済みのＲＧＢ画像を本スキャンの結果として表示する（図３Ｓ１４）。
一方、補正適用領域を指定する設定が行われない状態で本スキャンの実行が要求されると、ホストコンピュータ３０は、インタフェース部１６を介してＣＰＵ１１に対し、本スキャン用のＲＧＢ画像とＩｒ画像との生成を指示する。
【００４１】
このような指示により、ＣＰＵ１１は、フィルムスキャナ１０内の各部を制御して、所定の解像度でＲＧＢ画像とＩｒ画像とを生成し（図３Ｓ１５）、生成したＲＧＢ画像とＩｒ画像とをインタフェース部１６を介してホストコンピュータ３０に供給する。
そして、ホストコンピュータ３０は、このようにして供給されたＲＧＢ画像の全体に対し、Ｉｒ画像による欠陥補正処理を施し（図３Ｓ１６）、欠陥補正処理済みのＲＧＢ画像を本スキャンの結果として表示する（図３Ｓ１４）。
【００４２】
また、欠陥補正処理を実行する設定が行われない状態で本スキャンの実行が要求されると、ホストコンピュータ３０は、インタフェース部１６を介してＣＰＵ１１に対し、ＲＧＢ画像の生成を指示する。
このような指示により、ＣＰＵ１１は、フィルムスキャナ１０内の各部を制御して、ＲＧＢ画像を生成し（図３Ｓ１７）、生成したＲＧＢ画像をインタフェース部１６を介してホストコンピュータ３０に供給する。
【００４３】
そして、ホストコンピュータ３０は、このようにして供給されたＲＧＢ画像を本スキャンの結果としてモニタ５０に表示する（図３Ｓ１８）。
以上説明したように、本実施形態では、フィルム原稿２０の欠陥が強調された画像とプレビュー画像とを合成して得られる欠陥合成画像を、プレビュー画像に代えて表示することができるので、フィルム原稿２０の欠陥の状態を操作者に理解させることができる。したがって、操作者は、欠陥補正処理の実行の有無を、フィルム原稿２０の欠陥の状態に応じて的確に判断することができる。
【００４４】
そのため、無用な欠陥補正処理の実行によって読取時間を長引かせたりすることが無く、また、欠陥補正処理が必要であるにも拘わらず、欠陥補正処理を実行する設定を行わずに本スキャンを行ってしまうという過ちを、回避することができる。
さらに、本実施形態では、補正適用領域の選択操作が可能であるため、操作者は、欠陥が気になる部分のみを補正適用領域とすることができる。したがって、ＲＧＢ画像の全ての領域に対して欠陥補正処理を行う場合に比べて、欠陥補正処理に要する時間を確実に短縮することである。
【００４５】
なお、本実施形態では、プレビュー画像の表示が要求されると、ＲＧＢ画像とＩｒ画像とを生成し、これらの画像に基づき、プレビュー画像と欠陥合成画像とが生成されるが、Ｉｒ画像および欠陥合成画像の生成は、欠陥合成画像の表示が要求されてから行っても良い。
さらに、本実施形態では、ホストコンピュータ３０によって欠陥合成画像の生成と欠陥補正処理とが行われるが、欠陥合成画像の生成と欠陥補正処理とは、フィルムスキャナ１０内の画像処理部１７で行っても良い。
【００４６】
また、本実施形態では、本発明の画像読取装置の一例として、図１に示すような構成のフィルムスキャナ１０を有する画像読取装置を用いて説明を行ったが、本発明は、ＲＧＢ画像のような透過原稿の視覚的な画像が読み取れ、Ｉｒ画像のような欠陥の位置を示す画像とを生成することができれば、如何なる画像読取装置にも適用することができる。なお、欠陥の位置を示す画像は、赤外光に限らず、透過原稿を素通しに近い状態で透過するが、ゴミや傷や指紋等の欠陥において遮蔽されるような特性を有する光によって生成することができる。
【図面の簡単な説明】
【００４７】
【図１】画像読取装置の構成図である。
【図２】画像読取装置の動作フローチャートである。
【図３】画像読取装置の動作フローチャートである。
【図４】欠陥合成画像が得られるまでの過程を示した図である。
【図５】モニタの表示例を示す図である。
【符号の説明】
【００４８】
１  画像読取装置１
１０  フィルムスキャナ１０
１１  ＣＰＵ
１２  照明制御部
１３  Ａ／Ｄ変換部
１４  センサ制御部
１５  光学ブロックモータ制御部
１６  インタフェース部
１７  画像処理部
１８  光学ブロックモータ
１９  光学ブロック
２０  フィルム原稿
２１  照明装置
２２  レンズ
２３  ラインセンサ
３０  ホストコンピュータ
５０  モニタ
７０  操作部
【図１】
2005323002.tif 000003
【図２】
2005323002.tif 000004
【図３】
2005323002.tif 000005
【図４】
2005323002.tif 000006
【図５】
2005323002.tif 000007